(57)【要約】【課題】受信される放送番組のジャンル情報から、地図上に登録されているジャンル情報を特定し、該当する情報を表示する、デジタル放送受信表示装置を提供する。【解決手段】デジタル放送受信表示装置に、情報を保持する記憶手段と、ジャンル情報を検出する選局手段と、放送番組の対象物情報を検出する情報検出手段と、地図上のジャンル情報との一致を検索する地図情報検索手段を備える。デジタル放送受信表示装置はジャンル情報を用いて地図上のジャンル情報を特定することが可能となる。【選択図】図２
2009060190.tif 000002
【特許請求の範囲】
【請求項１】
ジャンル情報と、位置情報及び画像情報を含む対象物情報と、放送番組のジャンル情報と、を含むデジタル放送を受信する受信手段と、
前記受信手段で受信したデジタル放送を選局し、選局されたチャンネルのジャンル情報を抽出する選局手段と、
前記受信手段で受信したデジタル放送から前記対象物情報を抽出する情報抽出手段と、
地図データ及び前記情報抽出手段で抽出した前記対象物情報を記憶する記憶手段と、
前記記憶手段に記憶された地図データ及び前記画像情報の表示を制御する制御手段と、
を備え、
前記制御手段は、
前記記憶手段に記憶されたそれぞれの対象物情報について、当該対象物情報に含まれる位置情報が表示される地図データの領域内であり、且つ、前記選局手段で抽出されたジャンル情報と一致した場合に、当該対象物情報に含まれる画像情報を表示するように制御することを特徴とするデジタル放送受信表示装置。
【請求項２】
前記選局手段は、前記デジタル放送において多重され伝送される放送波に含まれるSI情報からジャンル情報を抽出することを特徴とする請求項１記載のデジタル放送受信表示装置。
【請求項３】
前記情報抽出手段は、前記デジタル放送において、多重され伝送される放送波に含まれる映像コンテンツに現れる対象物情報を抽出することを特徴とする請求項１記載のデジタル放送受信表示装置。
【請求項４】
前記制御手段は、前記記憶手段に保持されている地図情報と対象物情報について、前期選局手段で抽出されたジャンル情報に基づいて地図上に表示する情報を特定し、対象物情報が表示される地図データの領域内のジャンル情報と一致した場合に、対象物情報に係る画像情報を表示するように制御することを特徴とする請求項１記載のデジタル放送受信装置。
【発明の詳細な説明】
【技術分野】
【０００１】
本発明は、デジタル放送の受信情報を表示するデジタル放送受信表示装置に関し、特に放送されるコンテンツに関連する位置情報およびコンテンツ情報を受信し、地図上に表示する機能を備えた装置に関する。
【背景技術】
【０００２】
近年、放送メディア分野では、アナログ方式からデジタル方式へ移行され、デジタル放送としては、衛星放送、地上波テレビ放送、地上波ラジオ放送等が高画質・高品質・高音質で放送が行われている。従来のニュース、ドラマ、スポーツ等の放送番組だけでなく、放送番組の内容に関わる情報等を提供するデータ放送が放送されている。また、データ放送には、例えば視聴中の音楽がダウンロードできるように放送からインターネットへ接続できるようなＵＲＬ情報等、様々な情報が送信されており、放送に関する内容をユーザーに伝える様々な情報が放送内容と共に送信されている。
従来のデータ放送受信表示装置では、放送されるデータ放送コンテンツ（以下、データファイルと呼ぶ）に関連した位置情報を含むデータファイルを受信し、ジャンル情報や位置情報と一致するデータを選択し、カーナビゲーション装置に表示する方法が提案されている。
【０００３】
図１は従来のデータ放送受信表示装置のハードウエア構成を示すブロック図である（特許文献１）。図１に示すデータ放送受信表示装置１０１は、装置全体をプログラム処理により制御するＣＰＵ１１１と、ＣＰＵ１１１が実行する制御プログラムや必要なデータを記憶したＲＯＭ１１３と、ＣＰＵ１１１のプログラム実行時の作業領域、バッファ領域、および一時記憶領域を提供するＲＡＭ１１４と、不揮発的にデータを格納することができるデータ記憶装置（ハードディスク、フラッシュメモリ等）１１５と、ＨＴＭＬファイルの内容等、各種データを表示するディスプレイ１１７と、音声情報を出力するスピーカ１１８と、ユーザーが指示を入力するための入力装置（例えば、操作キー、タッチパネル、リモコン等）１１９と、テレビ多重放送のようなデータ放送をアンテナ１２０を介して受信するデータ放送受信部１２１と、外部とのデータ通信を制御する通信制御部１２２から構成される。通信制御部１２２は、ＴＥＬコネクタ１２３を介して、例えば、電話回線または携帯電話等に接続され、インターネットにアクセスすることができる。データ放送としては、地上波を利用したものの他、衛星放送を利用するものであってもよいものとする。
この方法では、データ放送とデータ放送の内容に係る位置情報を受信し、受信した情報はユーザーの選択条件または別の条件で選択され記憶装置に保存される。したがって受信される種々雑多な情報のうち、ユーザーが必要とする情報を自動的に取捨選択することができ操作性を向上することが可能である。また、データ放送の内容に関連した情報を、記憶装置に保存している位置情報を用いて地図上に表示することで、ユーザーが必要とする情報を表示する好適なデータ放送受信装置を提供することが可能となる。
【特許文献１】国際公開第９９／０５６１５号パンフレット
【発明の開示】
【発明が解決しようとする課題】
【０００４】
ところで、従来のデータ放送受信表示装置では、ユーザーが選択したカテゴリーや更新日、有効期限等をデータファイル内の属性情報を基に、格納するデータ放送の内容を選択している。また、上記のように、あらかじめユーザーが決定した条件のデータ放送を保存する場合、視聴している放送の内容が変わり、ユーザーが知りたい情報が変化するたびにユーザーが設定条件を変更する必要があるという問題があった。
【０００５】
本発明の目的は、これらの課題を解決するために、映像コンテンツに含まれる情報を、例えば地上デジタル放送の場合、地上デジタル放送波に多重されている付加情報、例えばＳＩ情報を用いて視聴中の放送番組のジャンル情報を抽出し、放送番組に関するジャンルの施設、例えばグルメ番組の場合ではグルメというジャンル情報で、地図上に存在するグルメに関する施設を特定させ、施設の情報等を地図上に表示させることができるように、映像コンテンツ情報に含まれる情報を基に位置の検索を行うことができる、デジタル放送受信表示装置を提供することである。
【課題を解決するための手段】
【０００６】
本発明に係るデジタル放送受信表示装置は、ジャンル情報、位置情報及び画像情報を含む対象物情報と、放送番組のジャンル情報と、を含むデジタル放送を受信する受信手段と、前記受信手段で受信したデジタル放送を選局し、選局されたチャンネルのジャンル情報を抽出する選局手段と、前記受信手段で受信したデジタル放送から対象物情報を抽出する情報抽出手段と、地図データ及び前記情報抽出手段で抽出した対象物情報を記憶する記憶手段と、前記記憶手段に記憶された地図データ及び前記画像情報を表示する表示手段と
を備え、前記表示手段は、前記記憶手段に記憶されたそれぞれの対象物情報について、
位置情報が表示された地図データの領域内であり、且つ、前記選局手段で抽出されたジャンル情報と一致した場合に、画像情報を表示することが可能である。
【０００７】
本発明に係るデジタル放送受信表示装置は、前記選局手段が、まず放送されている映像コンテンツに関するＳＩ情報からジャンル情報を抽出し、また前記情報抽出手段が受信した映像コンテンツから対象物情報を抽出する。これら抽出された情報を基に、対象物情報が、位置情報が表示する地図データの領域内であり、且つ、前記選局手段で抽出されたジャンル情報と一致した場合に、対象となる対象物情報の画像情報を表示する。
【発明の効果】
【０００８】
本発明によれば、特定の放送番組を視聴中に、その放送番組のＳＩ情報を用いてジャンル情報を検出し、また放送番組に含まれる情報の位置や画像を検出する。検出された放送番組に含まれる情報が、地図上で表示する情報のジャンルを特定し、ジャンル情報と一致する場所について該当する情報がある場合、放送番組に含まれる画像を表示することで、ユーザーは視聴中の番組に関連したお店等の情報を地図上に表示することが可能となる。
【発明を実施するための最良の形態】
【０００９】
以下本発明の実施の形態に係るデジタル放送受信表示装置について説明する。なお、本発明の実施の形態に係るデジタル放送受信表示装置については、日本における地上デジタルテレビジョン放送の放送方式であるＩＳＤＢ−Ｔ方式を例にとり、複数の情報を多重させ同時に伝送されている放送波を受信するシステムとする。
【００１０】
以下本発明を実施するための最良の形態について、図面を参照しながら説明する。
【００１１】
（実施の形態）
図２は本実施形態に係るデジタル放送受信表示装置２００の機能構成を示すブロック図である。
【００１２】
図２に示すデジタル放送受信表示装置２００は、アンテナ２０１、放送番組受信手段２０２、選局手段２０３、情報抽出手段２０４、記憶手段２０５、カーナビゲーション装置２０６、地図情報検索手段２０７、コントロール手段２０８、表示手段２０９を備える。
【００１３】
アンテナ２０１はデジタル放送、例えば地上デジタルテレビジョン放送を受信する場合、地上デジタルテレビジョン放送波を受信するＵＨＦアンテナ等であり、放送番組受信手段２０２にＲＦ信号を出力する。
【００１４】
放送番組受信手段２０２は、アンテナ２０１より入力されるＲＦ信号によりチャンネルを選択すると共に復調処理を行い、放送波に含まれ伝送される字幕情報やSI情報等を含む放送番組情報を、ＴＳ信号デコード時に検出し、選局手段２０３へ出力する。また、ＴＳ信号をデコードすることで映像信号および音声信号を情報抽出手段２０４へ出力する。
【００１５】
選局手段２０３は、放送番組受信手段２０２より入力される字幕情報やSI情報等から選局されたチャンネルのジャンル情報を抽出し、地図情報検索手段２０７へ出力する。
【００１６】
情報抽出手段２０４は、放送番組受信手段２０２より入力される映像信号および字幕情報から店舗名やその画像情報や位置情報といった対象物情報を抽出し、記憶手段２０５へ出力する。
【００１７】
カーナビゲーション装置２０６は、ユーザーが指定したルート情報と現在位置情報を出力し、ナビゲーション情報を記憶手段２０５へ出力する。また、カーナビゲーション装置２０６は、地図上の施設、目的地を検索する機能を保持しており、ナビゲーション検索情報は地図情報検索手段２０７へ入出力される。
【００１８】
記憶手段２０５は、情報抽出手段２０４より入力される対象物情報と、カーナビゲーション装置２０６より入力されるナビゲーション情報と、地図情報を保持する。
【００１９】
地図情報検索手段２０７は、選局手段２０３より入力されるジャンル情報と記憶手段２０５に保持されている情報と、カーナビゲーション装置２０６より入出力されるナビゲーション検索情報により、地図情報上の検索を行う。
【００２０】
表示手段２０９は、地図データおよび地図情報検索手段２０７により出力される結果より画像情報を表示する。
コントロール手段２０８はデジタル放送受信表示装置２００の全体の制御および状態の監視を行う。
【００２１】
次に本実施の形態での地図情報検索手段２０７について更に図３を用いて説明する。地図情報検索手段２０７は、選局手段２０３より出力される現在視聴中の放送番組のジャンル情報を用いて、地図上に表示する情報ジャンルを特定する。図３は地図情報検索手段２０７の構成を示しており、選局手段２０３、カーナビゲーション装置２０６、コントロール手段２０８からの入力信号に対し、ジャンル情報検索部３０１で構成され、結果を表示手段２０９に出力する。ジャンル情報検索部３０１は、選局手段２０３より抽出される視聴中放送番組のジャンル情報を基に、カーナビゲーション装置２０６からの入力信号であるナビゲーション検索情報と一致するジャンル・分類の検索を行う。
図４は、地図情報検索手段２０７に入力されるジャンル情報の例を示しており、このジャンル情報は、視聴中の放送番組から選局手段２０３によって抽出される放送番組のジャンル情報の大分類の例を示している。図４に示すジャンル情報の大分類は、放送番組ごとにＳＩ情報より抽出され、大分類として分類されている。例えば、ニュース番組を視聴中には、「ニュース／報道」というジャンル情報が、野球中継を視聴中には「スポーツ」というジャンル情報がＳＩ情報より大分類として抽出される。これら大分類のジャンル情報はさらに詳細に分類されているものもある。図５にはジャンル情報の大分類をさらに詳細に分類した中分類の抜粋例を示す。例えば＜ジャンル大分類＞が「ニュース／報道」の場合では＜ジャンル中分類＞は「定時・総合」、「ローカル／地域」、「天気」、「政治・国会」といった内容が、放送番組に応じてそれぞれ抽出される。これら大分類と中分類として生成されるジャンル情報は、＜ジャンル大分類＞を第一検索ワード、＜ジャンル中分類＞を第二検索ワードとして、ジャンル情報検索部３０１に入力される。
【００２２】
ジャンル情報検索部３０１は、検索ワードとして抽出されたジャンル情報を用いて、地図上に登録されている施設等の内容と一致するジャンルの特定を行う。この特定方法は、選局手段２０３によって抽出される放送番組のジャンル情報と、カーナビゲーション装置２０６がもつ目的地検索機能等の検索手段として保持しているジャンル検索機能より、検索項目として一致するジャンルの検索を行い、一致するジャンルがある場合は、一致するジャンル内容を記憶手段２０５に出力することにより行う。この処理の流れを示すフローチャートを図６に示す。ジャンル情報検索部３０１には、検索ワードとして抽出されたジャンル情報が選局手段２０３より入力される（ステップ６０１）。このジャンル情報はカーナビゲーション装置２０６が持つジャンル検索機能の検索項目として用いられる（ステップ６０２）。ジャンル検検索機能の検索項目として一致する検索結果がある場合（ステップ６０３）、検索結果の内容は記憶手段２０５へ出力され、保持される（ステップ６０４）。一方で、ジャンル検索機能の検索項目として一致する検索結果がない場合（ステップ６０３）、次回以降、放送番組のＳＩ情報が更新されるたびに選局手段２０３より抽出されるジャンル情報が入力されるまで待機し、更新されたジャンル情報が入力された場合、ステップ６０１からステップ６０４を繰り返し行う。
【００２３】
なお、生成されるジャンル情報を検索項目として用いる場合、図４及び図５に示すフォーマットでなくても良い。例えば、抽出されるジャンル情報の単語単位で用いることも可能とする。
【００２４】
なお、本実施の形態で示すジャンルの特定は、カーナビゲーション装置２０６が持つ目的地検索機能等としているが、カーナビゲーション装置２０６以外の装置によって検索することでも可能とする。
【００２５】
なお、本実施の形態例では、カーナビゲーション装置２０６用いているが、カーナビゲーション装置２０６以外の機器を用いることも可能とする。
【００２６】
次に本実施の形態での記憶手段２０５およびコントロール手段２０８について更に説明する。
記憶手段２０５には、情報抽出手段２０４より入力される視聴中の放送番組の対象物情報と、地図情報検索手段２０７より入力されるジャンル情報検索結果の内容と、カーナビゲーション装置２０６より入力されるユーザーが指定したルート情報と現在位置情報と、あらかじめ持つ地図情報を保持している。コントロール手段２０８は、視聴中の放送番組の対象物情報に係る位置情報が、地図情報とナビゲーション情報から指定される地図情報の領域内に存在するか検索を行う。ここで、ナビゲーション情報から指定される地図情報の領域内とは、ナビゲーション情報が持つユーザーが指定したルート上から指定された範囲内であること、または、ナビゲーション情報が持つ現在位置情報から指定された範囲内であることを意味する。次に、コントロール手段２０８は地図情報検索手段２０７より入力されるジャンル情報検索結果の内容が記憶手段２０５に保持されている地図情報内に存在し、地図情報とナビゲーション情報から指定される地図情報の領域内に存在するか比較を行う。ジャンル情報検索結果が地図情報とナビゲーション情報から指定される地図情報の領域内に存在し、内容が地図情報内に存在する場合、該当する対象物情報の画像情報を地図情報の領域内に表示するように表示手段２０９に出力する。
【００２７】
図７は地図情報とナビゲーション情報から指定される地図情報の領域内に視聴している放送番組のジャンル情報検索結果と一致する施設や建物が存在する際の具体例を示す。図７に示す地図は実際に表示手段２０９に表示される地図情報の領域を示している。図７の例では、例えば旅に関する番組を視聴していると想定した場合、視聴している放送番組のジャンル情報検索結果と一致する施設や建物が、地図情報とナビゲーション情報から指定される地図情報の領域内に存在する地点を、図７中に★マークで表示しており、例えば視聴中の番組と同じ地域を走行する際に、地点Ａは「陶芸家の家」の位置を、地点Ｂは「温泉旅館」の位置を、地点Ｃは「駅」の位置をそれぞれ示している。
このように視聴中の放送番組のジャンル情報に係る施設・建物等が表示される。
【００２８】
図８は地図情報とナビゲーション情報から指定される地図情報の領域内にジャンル情報と一致した建物・施設の中から、対象物情報に係る位置情報が存在する際の具体例を示す。図８に示す地図は実際に表示手段２０９に表示される地図情報の領域と対象物情報の画像情報を表示した結果を示している。図８の例では、例えば旅に関する番組を視聴していると想定した場合、すでに、視聴している放送番組のジャンル情報検索結果と一致する施設や建物が選択されている際、対象物情報に係る位置情報が、ジャンル情報で選択された建物・施設に存在する場合に、対処物情報に係る画像情報が図８中の該当地点に表示される。例えば視聴中の番組と同じ地域を走行する際に、ジャンル情報「旅」で検索した際に、対象物情報が一致する施設・建物が「温泉旅館」であった際、地点Ｂの「温泉旅館」の位置に、対象物情報にかかる画像情報等を地図上に表示する。
【００２９】
このように本実施の形態を一例として説明した本発明によれば、視聴中の放送番組の映像コンテンツに含まれる情報を抽出し、放送番組に関するジャンルの施設の情報等を地図上に表示させることができるデジタル放送受信表示装置を提供することが可能となる。
本実施の形態では、放送番組受信手段２０２が受信手段に相当し、選局手段２０３が選局手段に相当し、情報抽出手段２０４が情報抽出手段に相当し、記憶手段２０５が記憶手段に相当し、表示手段２０９が表示手段に相当し、コントロール手段２０８が制御手段に相当する。
【産業上の利用可能性】
【００３０】
本発明に係るデジタル放送受信表示装置は、視聴中の放送番組に関連する施設等の情報を地図上に表示することが可能であり、カーナビゲーションシステム等において、これまでとは異なる提案型のカーナビゲーション装置を実現することが可能となる。
【図面の簡単な説明】
【００３１】
【図１】従来のデータ放送受信表示装置の構成を示すブロック図
【図２】本発明の実施の形態によるデジタル放送受信表示装置を示すブロック図
【図３】図２に示す地図情報検索手段の構成を示すブロック図
【図４】図２に示す選局手段で抽出されるジャンル情報の一例を示すデータ構成図
【図５】図２に示す選局手段で抽出されるジャンル情報の一例を示すデータ構成図
【図６】本発明の実施形態におけるジャンル情報の検出の一例を示すフローチャート
【図７】図２に示す表示手段で出力される位置情報が存在する際の一例を示すイメージ図
【図８】図２に示す表示手段で出力される位置情報が存在する際の一例を示すイメージ図
【符号の説明】
【００３２】
１０１    データ放送受信表示装置
１１１    ＣＰＵ
１１３    ＲＯＭ
１１４    ＲＡＭ
１１５    データ記憶装置
１１７    ディスプレイ
１１８    スピーカ
１１９    入力装置
１２０    アンテナ
１２１    データ放送受信部
１２２    通信制御部
１２３    ＴＥＬコネクタ
２００    デジタル放送受信表示装置
２０１    アンテナ
２０２    放送番組受信手段
２０３    選局手段
２０４    情報抽出手段
２０５    記憶手段
２０６    カーナビゲーション装置
２０７    地図情検索手段
２０８    コントロール手段
２０９    表示手段
３０１    ジャンル情報検索部
【図１】
2009060190.tif 000003
【図２】
2009060190.tif 000004
【図３】
2009060190.tif 000005
【図４】
2009060190.tif 000006
【図５】
2009060190.tif 000007
【図６】
2009060190.tif 000008
【図７】
2009060190.tif 000009
【図８】
2009060190.tif 000010